(57)【特許請求の範囲】
【請求項１】
線状ＥＬ素子と、その周囲に連結しかつ線状ＥＬ素子の半径方向又は接線方向へ突出するとともに線状ＥＬ素子の長さ方向に沿って延びる可撓性の取付部とを備え、前記線状ＥＬ素子が可撓性であり、かつ前記取付部が前記線状ＥＬ素子と略同長であることを特徴とする線状ＥＬ装置。
【発明の詳細な説明】
【０００１】
【発明の属する技術分野】
この発明は、線状をなすＥＬ（エレクトロルミネッセンス、以下同）素子を用いてその利便性を向上させたものに関する。なお、本願発明において線状ＥＬ素子とは線状に形成されたＥＬ素子を意味し、線状とは、糸のように細いものからロープのようにある程度太いものまでを含む、糸状、紐状あるいは棒状等をなして、直線状又は曲線状を問わずに長く延びている形状を意味するものとする。
【０００２】
【従来の技術】
線状ＥＬ素子は公知であり、糸状の芯電極周囲に、ＥＬ発光層、透明電極、透明外被覆を順に積層し、全体として長尺かつ可撓性のある線状体として形成したものであり、その長さ方向一端側において、芯電極と透明電極間へ通電することによりＥＬ発光層を発光させるようになっている。
【０００３】
【発明が解決しようとする課題】
ところで、上記線状ＥＬ素子は線状であってかつ可撓性があるため、衣服等へ取付けることができ、このようにすれば、夜間等において周囲が視覚により認識できる能力である視認性が向上し、なおかつ装飾性を高めることができる。しかしながらこのような線状ＥＬ素子を取付相手側部材へ取付けるには、縫い糸等で周囲をからげたり接着する必要がある。このため、取付相手側部材の材質によっては取付が困難であったり、取付に多くの手間がかかることになる。そこで本願発明は、取付相手側部材の材質を選ばず取付の自由度を高め、かつ取付に手間がかかないようにする線状ＥＬ装置の提供を目的とする。
【０００４】
【課題を解決するための手段】
上記課題を解決するため本願発明に係る線状ＥＬ装置は、線状をなすＥＬ素子と、その周囲に連結しかつ線状ＥＬ素子の半径方向又は接線方向へ突出するとともに線状ＥＬ素子の長さ方向に沿って延びる可撓性の取付部とを備え、前記線状ＥＬ素子が可撓性であり、かつ前記取付部が前記線状ＥＬ素子と略同長であることを特徴とする。
【０００５】
【発明の効果】
可撓性の線状ＥＬ素子をこれと略同長の取付部の一端であるＥＬ連結部へ取付け、この取付部の他端側を線状ＥＬ素子の半径方向あるいは接線方向へ突出する取付相手側連結部とし、この取付相手側連結部を取付相手側部材へ縫合、係合等の適宜取付手段で取付けると、取付相手側部材の表面等へ線状ＥＬ素子を容易に取付けることができる。
【０００６】
このため、取付相手側部材への取付手段が多岐にわたり、取付相手側部材の材質や取付場所等に応じて最適な取付手段を選択できるので取付の自由度が増し、取付相手側部材の材質に左右されずに取付可能になるとともに、取付作業自体も容易かつ迅速になる。
【０００７】
【発明の実施の形態】
図１に第１実施例を示す。この線状ＥＬ装置は、線状ＥＬ素子１と、その駆動部２及び線状ＥＬ素子１を取付相手側部材へ取付けるための取付部３とで構成されている。
【０００８】
線状ＥＬ素子１は芯電極４、ＥＬ発光層５、付加電極６、透明電極７及び透明外被８をこの順に積層した糸状乃至ロープ状等の種々な任意太さに形成した長尺部材であり、かつ可撓性を有する公知の発光体である。
【０００９】
駆動部２は駆動電源１０とインバータ回路からなる駆動回路１１及びスイッチ１２で構成され、駆動回路１１の出力を芯電極４と付加電極６へ接続し、駆動回路１１から芯電極４と付加電極６へ高電圧を印可することによりＥＬ発光層５が全長で発光する。
【００１０】
この駆動部２は線状ＥＬ素子１の長さ方向一端側において芯電極４と付加電極６へ接続するだけで済むので、線状ＥＬ素子１の長さを自由に変化させることが容易になる。また、駆動電源１０は交流及び直流が適用でき、例えば、１．５Ｖの市販アルカリ電池やボタン電池等を利用でき、駆動部２全体をカセットテープ大もしくはそれ以下のサイズにコンパクト化できる。
【００１１】
但し、線状ＥＬ素子１の使用時間や使用電力（線状ＥＬ素子１の長さにほぼ比例して大きくなる）により、駆動電源１０のサイズは大きくも小さくもなる。しかし、概して後述するように衣服のポケットに収納したり取付相手側部材へ内蔵できる程度にポータブルかつコンパクトである。
【００１２】
取付部３は、この実施例において線状ＥＬ素子１を挿入できる大きさの内径で袋状をなすＥＬ連結部１５とその半径方向外方へ突出する取付相手側連結部１６とを備え、透明かつ可撓性のある適宜合成樹脂を用いて全体が一体に形成され、その長さは線状ＥＬ素子１の長さとほぼ等長である。
【００１３】
ＥＬ連結部１５部分は線状ＥＬ素子１を取付部３へ取付けるための部分であり、以下の第２乃至第５実施例に示すように、この機能を有する種々の別構造が摘要可能である。また、少なくとも線状ＥＬ素子１を覆うＥＬ連結部１５部分は透明である必要があり、この透明の程度は、線状ＥＬ素子１の発光を外部から確認できる程度であればよく、好みの色に着色することは任意である。
【００１４】
さらに、取付相手側連結部１６は取付部３を他の物品である取付相手側部材へ連結するための部分であり、やはり、以下の第６乃至第１３実施例に示すように、この機能を有する種々の別構造が適用可能である。
【００１５】
なお以下の説明中において、取付部３（ＥＬ連結部１５）へ線状ＥＬ素子１が一体化した状態につき、全体として一まとまりになっている一部材として表現する場合には、発光部１８として表現する。
【００１６】
図２のＡ部に示す第２実施例は、ＥＬ連結部１５の袋状構造に代えて略Ｃ字状断面をなすように長さ方向へスリット１７が形成され、このスリット１７から線状ＥＬ素子１を嵌合するようになっている。なお、取付相手側連結部１６はＥＬ連結部１５と一体に形成され、かつ全体が可撓性を有するもののその硬度は、線状ＥＬ素子１を嵌合により着脱できる程度になるよう、第１実施例よりも比較的硬質の材料を用いて形成される。
【００１７】
図中のＢ部は変形例であって、取付相手側連結部１６の幅方向両側に略Ｃ字状断面のＥＬ連結部１５を形成したものであり、取付相手側連結部１６の両側に線状ＥＬ素子１を取付可能になっている。
【００１８】
なお、このような取付相手側連結部１６の幅方向両側に一対のＥＬ連結部１５を形成する構造は、前記第１実施例例並びに以下のいくつかの実施例においてもその性質により適宜適用可能であるが、特に言及せず説明を省略する。
【００１９】
また、取付相手側連結部１６の幅方向とは、長さ方向と直交する方向をいうものとし、長さ方向とは線状ＥＬ素子１の取付時にその長さ方向へ沿う方向をいうものとする。
【００２０】
図３は第３実施例であり、当初略平板状の展開形状をなすテープ状部材を幅方向で二つ折りにして取付部３を形成するものであり、このテープ状部材の中央部に予め湾曲部２０を形成しておき、ここに線状ＥＬ素子１を入れてから、左右の脚部２１、２１を重ね合わせることにより、図１のものとほぼ同様の構造を得るようになっている。このようにすると、湾曲部２０による線状ＥＬ素子１の位置決めが容易になる。
【００２１】
図４は第４実施例を示し、図中のＡ部は、線状ＥＬ素子１を構成する透明外被８の外周部から半径方向外方へ取付部３を一体にその半径方向外方へ突出形成したものであり、取付部３から見るとＥＬ連結部１５が透明外被８を兼ね、かつ透明外被８からの突出部分が取付相手側連結部１６をなし、線状ＥＬ素子１全体が玉縁状になっている。この構造の場合は取付部３を透明外被８と一体化できるので、取付部３を線状ＥＬ素子１の製造工程中で形成できる。
【００２２】
図４中のＢ部は、透明外被８から複数の取付相手側連結部１６を一体かつ放射状に突出形成した例であり、図のような星形の他、十字形等種々の形状にすることができ、いずれも発光時の線状ＥＬ素子１を太く見せることができ、かつ相手側取付部材への連結場所が多くなるので取付の自由度が増す。
【００２３】
図５は第５実施例であって平板状をなす取付部３の幅方向一端をＥＬ連結部１５とし、ここに線状ＥＬ素子１を接着するものである。この例では、ＥＬ連結部１５部分を予め湾曲部２２として成形し、この中で接着剤２３により線状ＥＬ素子１を接着するものであり、湾曲部２２の存在により線状ＥＬ素子１の位置決めが容易になるので、線状ＥＬ素子１のＥＬ連結部１５に対する取付けが容易になっている。また、線状ＥＬ素子１の外観部をＥＬ連結部１５で覆わないようにできるので、それだけ外部から見たとき明るくなり視認性が向上する。
【００２４】
図６乃至図９は、取付相手側連結部１６の取付相手側部材に対する取付手段に関する実施例を示し、これらの実施例では、取付部３として図４のＡ部に示した例、すなわち取付部３が透明外被８と一体に形成され略玉縁状をなす発光部１８をなすものについての使用例を説明する。但し、この取付部３の構造に代えてこれまでに述べた他の各種構造を取付手段に応じて適宜選択採用可能である。
【００２５】
図６の第６実施例は、玉縁的な利用方法であり、布ａと同ｂ等の取付相手側部材各端部を取付相手側連結部１６の両側に重ねて挟み、縫い糸２４で三者一体に縫合する。この取付手段は、後述するように最も利用し易くかつ適用範囲の広い手段である。なお、縫合手段を採用する場合、取付相手側連結部１６の両側に布等を重ねず、左右のいずれか片側だけに重ねて縫合することもできる。
【００２６】
図７の第７実施例は、取付相手側部材上へ取付部３の取付相手側連結部１６を重ね、これをタッカー針２５等で取付ける例であり、この取付手段はタッカー針２５に代えて、リベット、釘、ネジ等を用いることができ、確実かつ迅速な取付が可能になる。またこれらの手段に代えて上記縫合や接着を適用することもでる。
【００２７】
図８の第８実施例は、取付相手側連結部１６に予め磁石や吸盤等の吸着部材２６を取付けておき、この吸着部材２５を利用して取付相手側部材の磁性体金属表面又は平滑面へ取付けるものである。なお、予め取付相手側連結部１６へ両面接着剤を取付けておき、この両面接着剤で取付相手側部材である他物品の表面へ取付けておくこともできる。このようにすれば比較的着脱容易に取付できる。
【００２８】
図９の実施例は、取付相手側連結部１６へ取付穴２７を設けておき、この取付穴２７を利用してＳ字形環等の適宜係止具２８を用いて他物品２９の穴等へ吊り下げ等により取付けるものである。このようにすれば、取付相手側部材が縫合や磁石等の吸着を採用できずかつ簡単に着脱自在な取付が必要場合に最適であり、取付相手側部材に特別な構造を用意しなくても簡単に係止できる。
【００２９】
図１０乃至図１３は、取付相手側連結部１６を特殊形状に変形させた例であり、図１０の第１０実施例は、取付相手側連結部１６部分をＥＬ連結部よりも太いモール部３０とし、ここに設けたＵ字溝３１を他物品３２の取付端３２ａへ嵌合するようになっている。したがって、線状ＥＬ素子１を設けたモールを得ることができる。
【００３０】
図１１の第１１実施例は、取付部３が図１０と同様の略ダルマ状断面をなすが、取付相手側連結部１６が中空部３３になっており、ここにワイヤ等をなす支持部材３４を通すことにより取付可能になっている。したがって、予め取付用のワイヤなどが張りめぐらされているような場所へ綺麗に取付できる。
【００３１】
図１２の第１２実施例は、線状ＥＬ素子１の透明外被８外周部に接線方向へ延びる接線方向取付脚３５を一体に形成し、その取付面に適宜取付手段、例えば面ファスナー３６等を設けた例である。
【００３２】
但し、面ファスナー３６に代えて、第６乃至第９実施例に述べた種々の取付手段を用いることもできる。また、接線方向取付脚３５は線状ＥＬ素子１を挟んで左右へ対称的に突出するばかりでなく、非対称な長さで突出したり、片側のみへ突出したり、または長さ方向に沿って左右交互に左右へ突出する等適宜変形可能である。
【００３３】
図１３の第１３実施例は、取付相手側連結部１６に略矢形をなす係合部３７を設け、これを他物品３８に形成されたスリット３９へ嵌合して取付けるようになっている。この例は取付相手側部材が筒状又は棒状をなす場合においてその表面へ取付ける場合に有利である。
【００３４】
なお、スリット３９に代えて丸穴等の係合用の穴を直線状もしくは千鳥状等に配設して係合穴の列を設け、一方、取付相手側連結部１６はこれらの係合穴へ個別に係合可能なように独立した複数の棒状等の突部に形成し、かつこの突部周囲に前記係合部３７と同様の係合部を設けることもできる。また、この係合穴とこれに係合する棒状等の突部をそれぞれ一つづにすることもできる。
【００３５】
図１４以降はこの線状ＥＬ装置を取付ける相手側部材の具体例を示す。なお、線状ＥＬ装置の具体的な構造は、相手側部材との関係でこれまで述べた各種構造を単独で又は適宜組合せて用いることができるので、特に必要が無い限り以下の説明では発光部１８として表示する。
【００３６】
図１４は、スキー用具への取付例であり、発光部１８を、スキーウェア４０の背中、肩、袖にかけて取付けてある。この場合、発光部１８として図４のＡ部に示した玉縁状のものを図６のように用いれば、これらには従来から用いられている玉縁に代えて同じように使用できる。
【００３７】
また、駆動部２はスキーウェア４０のポケット４１内又はスキーウェア４０内部への埋め込み、さらには図示しないウェストバッグ等適宜場所へ収容できる。さらに発光部１８は、手袋４２、帽子４３、ゴーグル４４、ズボン４５、スキー靴４６、ストック４７、スキー４８等へも取付可能である。
【００３８】
例えば、ゴーグル４４へ取付けるには、そのレンズ４４ａを枠４４ｂへ嵌合する際に取付部３の取付相手側連結部１６を一緒に挟み込む等、適宜な取付手段が可能であり、また、駆動部２も枠４４ｂ上への装着又はその内部への内蔵等適当ヶ所へ設けることができる。
【００３９】
また、ストック４７に対する発光部１８の取付けは、図１３に示した取付構造を採用することにより、その外周面に長さ方向へ沿って取付けることができる。このとき駆動部２はグリップ４７ａ内に内蔵される。
【００４０】
図１５はこの一例を示すものであり、グリップ４７ａ及びこれが外周へ取付けられるストック４７はそれぞれ中空かつ上方へ向かって拡径するテーパー状に形成され、ストック４７の側面には長さ方向にスリット５０が形成されている。
【００４１】
スリット５０は前記図１３におけるスリット３９に対応するものであり、ここに同図の取付相手側連結部１６に形成された矢形の係合部３７を押し込むことにより、線状ＥＬ素子１がストック４７の側面長さ方向に沿うように取付部３を取付けるとともに、線状ＥＬ素子１の上端部は、スリット５０からストック４７の中空部５１内へ入り、ＥＬソケット５２を介して駆動部２をなす基板５３へ接続されている。
【００４２】
ストック４７の上端部周囲へはグリップ４７ａが着脱自在であり、このグリップ４７ａが取付けられるストック４７の上端部側面にスリット５０から上方へ延長しかつ基板５３を通過できる幅に若干広がっている基板用スリット５０ａが形成され、基板５３は上記手順で線状ＥＬ素子１をＥＬソケット５２で接続後、グリップ４７ａが未装着状態で基板用スリット５０ａから中空部５１内へ挿入される。
【００４３】
この中空部５１内へ挿入された基板５３は、ストック４７が下方へ向かって小径になるテーパー状をなしかつスリット５０ａよりもスリット５０の幅が狭くなるから、下端部が所定位置で位置決めされる。したがって、予め基板５３の下端部を位置決めする部分におけるストック４７の内径に合わせて設定しておけば、ストック４７の内部に特別なストッパ構造を設ける必要がない。
【００４４】
その後、ストック４７の上端部周囲へグリップ４７ａを取付け、その頂部に形成されている開口部４７ｂからスプリング５４を入れて基板５３の上端部へ当接させ、さらにその上にボタン形電池である駆動電源１０を入れ、コイン溝４７ｃを有する蓋４７ｄで閉じることにより固定する。
【００４５】
なお、基板用スリット５０ａは必ずしもスリット５０と連続して設ける必要はなく、それぞれ別個に設けることができる。また、中空部５１内へ挿入される線状ＥＬ素子１の長さを十分長くする等の配慮をすれば、基板用スリット５０ａを設けずに開口部４７ｂから基板５３を挿入することもできる。さらに、スリット５０も連続する係合穴の列に変更できることは前述の通りであり、このようにすればストック４７の強度低下を防止できる。
【００４６】
基板５２は駆動回路１１を形成したものであり、その上部に形成された電極５２ａがスプリング５４を介してボタン形電池１０の例えばマイナス（−）極に接続し、他の電極５２ｂが導体５２ｃを介してボタン形電池１０の例えばプラス（＋）極と導通するようになっている。
【００４７】
図１６はＥＬソケット５２の詳細を示す図であり、二つ合わせに開閉自在の半体５２ｄ及び５２ｅからなり、それぞれの長さ方向一端側に線状ＥＬ素子１を嵌合する半円形断面のＥＬ側端子５５ａ、５５ｂが設けられ、一方には線状ＥＬ素子１に刺さるＥＬ抜け止め用爪５５ｃが設けられ、他方側には付加電極６をＥＬ側端子５５ａへ圧接するための付加電極強制圧迫リブ５５ｄが設けられている。
【００４８】
各半体５２ｄ及び５２ｅの長さ方向他端側にはリード線５６ａ、５６ｂの嵌合部５７ａ、５７ｂ及び５８ａ、５８ｂが設けられ、嵌合部５７ａに嵌合された心線５６ｃは圧着部５７ｃでＥＬ側端子５５ａへ導通し、嵌合部５７ｂにはリード線抜け止め圧迫リブ５７ｄが設けられている。
【００４９】
リード線５６ｂの嵌合部５８ａには芯電極４と導通する端子５８ｃが設けられて心線５６ｄと接続するとともに、嵌合部５８ｂには芯電極強制圧迫リブ５８ｄ及びリード線抜け止め圧迫リブ５８ｅが設けられている。
【００５０】
したがって、各半体５２ｄ及び５２ｅの間に線状ＥＬ素子１を挟んでから双方を閉じて、係合突部５２ｆと係合凹部５２ｇを係合させれば、線状ＥＬ素子１はＥＬソケット５２を介して簡単に基板５３へ電気的に接続され、カセット式の手軽な接続が可能になる。
【００５１】
なお、この構造は身体障害者や老人用の杖や登山用のピッケル等種々な類似物品に応用でき、発光部１８の存在により、これらの用途において要求される視認性を十分に高めることができる。
【００５２】
スキー４８に対しては、前端部周囲等の適宜位置に発光部１８を取付けることにより、先端部周囲の縁取り等に用いることができる。このとき取付部３として例えば、図４のＡ部に示す構造の取付相手側連結部１６をスキー４８へ接着したり、図１０に示すモール３０を嵌合することができる。
【００５３】
また、スキー４８の底面に溝を形成し、この溝内へ例えば図１３に示すような取付相手側連結部１６を嵌合すれば、発光部１８をスキー４８の底面に設けることができ、空中へジャンプしたときの視認性を高めることができる。このときの駆動部２はスキー４８の肉厚内等適宜場所へ収容できる。
【００５４】
図１７は身の回り品への適用例を示し、図中のＡ部はスキーウェア又は他のスポーツウエアに適用した例であり、玉縁状の発光部１８を背中の切り返し部等を利用して設けたり、さらに他の適宜構造の取付相手側連結部１６を有する発光部１８を用いて任意の場所へ自由に模様を形成でき、特に夜間のアウトドア用スポーツウエア類における視認性向上並びにそのような目的のデザイン自由度拡大において大いに効果がある。
【００５５】
さらに、図中のＢ部はカバン類６０への適用例であり、発光部１８を前記玉縁状構造のものを一般的な玉縁として使用している。また、図中のＣ部はバスケットシューズ６１、Ｄ部はジョッギングシューズ６２への適用例であり、側部や靴底との境界部等へ縁取り状に設けられ、ジャンプ時や夜間走行等において視認性を高めるようになっている。
【００５６】
図１８はスノーボード６３への応用であり、発光部１８が長さ方向両端部の縁取りに用いられている。駆動部２はスキー４８の場合同様にスノーボード６３へ埋め込まれる。
【００５７】
なお、発光部１８をバックル６４へ取付けることもでき、また、スノーボード６３の底面へスリットを設けてこのスリット中へ嵌合することもできる。スノーボード６３の場合、空中へ大きくジャンプするエア演技があり、この際にスノーボード６３の視認性を高めることができる。
【００５８】
図１９はマリンスポーツ用品への応用例であり、図中のＡ部はヨット７０のマスト７１、セール７２、風見フラッグ７３等へ発光部１８を取付けてある。マスト７１への取付は図１３の例もしくは図９の取付穴を利用して紐でマスト７１へ縛る等の手段による。
【００５９】
セール７２及びフラッグ７３は、図７の例においてタッカー針２４の代わりに縫合等で発光部１８を取付ければよい。いずれの場合も駆動部２はヨット７０の船体上もしくはマスト７１等へ設けることができる。
【００６０】
図中のＢ部はセーリングボード７４への応用であり、ヨット７０と同様の場所マスト７１、セール７２、フラッグ７３へ発光部１８を取付けでき、さらにブーム７５やセーリングボード７４自体の周囲等への取付けも可能である。
【００６１】
図中のＣ部はダイビング用品への使用例であり、エアボンベ７６の表面やレギュレータ７７等へ発光部１８を設ける。この場合駆動部２は、エアボンベ７６等適宜場所へ設けることができる。また、図示しないダイビングスーツや、ゴーグルへも取付けできる。
【００６２】
エアボンベ７６は図８のマグネットを用いた取付けが利用でき、レギュレータ７７の場合は図４のＡ部に示すような発光部１８を環状にし、取付相手側連結部１６部分をレギュレータ７７の幅部へ差し込み、必要により接着等することにより取付ける。このようにすると、水深が深くなるにしたがって暗くなり司会が悪くなるが、このような場合でも水中での視認性を高めることができる。
【００６３】
図２０は登山用品への応用例であり、Ａはフラッグ８０へ発光部１８を取付けた例である。但し、ポール８１へ取付けることもできる。Ｂ部はザイル８２へ撚り込んだ例であり、この場合、取付相手側連結部１６を複数の撚り線８３と撚り合わせることにより発光部１８の線状ＥＬ素子１部分を表面に出して一体化できる。このようにすると、悪天候や遭難時における視認性を高めることができる。
【００６４】
図２１は家具への応用例であり、図中のＡ部は発光部１８を単独ソファ８５の座部から背もたれ部にかけて連続する玉縁部に使用している。図中のＢ部は長椅子８６の背もたれ部頂部に発光部１８を取付けたものであり、これらはいずれも図６の構造を利用でき、特に、バーなどの比較的暗い照明の室内で使用する椅子等に使用した場合、装飾性を効果的に高めることができる。
【００６５】
図２２は自動２輪車及びその用品への応用例であり、発光部１８をシート９０の玉縁部やヘルメット９１に取付けてある。ヘルメット９１はフルフェイス型やジェット型など種々の形状に適用でき、シェルやシールドの縁取りに用いる場合は図１０のようなモールタイプが好適である。
【００６６】
なお、これら以外にも、車体の各部、例えば、リヤカバー９２、グリップ９３、タンク９４、ステップ９５、フロントフェンダ９６、さらにはウェア９７、グラブ９８、ブーツ９９等の各部へ発光部１８を取付けることができる。電源として車載電源を利用することも可能になる。このようにすると、自動２輪車の夜間走行時における視認性が向上する。
【００６７】
図２３は自動車用品の応用例であり、その一例としてシート１００の背もたれ部１０１背面や座部１０２の上面等における玉縁に発光部１８を適用したものであり、図８の構造を使用できる。但し、ヘッドレスト１０３等の玉縁部等へも適宜適用でき、装飾効果を高め、趣味感を向上させることができる。
【００６８】
以上のように、本願発明によれば、取付部３に線状ＥＬ素子１を一体化した発光部１８を用いるので、取付相手側部材の材質や場所並びに構造に規制されることなく、簡単かつ容易に線状ＥＬ素子１を取付けることができるようになり、その取付手段も多くのものを選択できるので、取付相手側部材に対する取付の自由度が著しく大きくなる。
【００６９】
なお、本願発明は上記各実施例に限定されず種々に変形可能であり、これら各例のＥＬ連結部１５、取付相手側連結部１６並びに取付相手側部材との取付手段等を目的に応じて適宜組合せ使用できる。
【図面の簡単な説明】
【図１】本願発明の第１実施例を示す図
【図２】第２実施例を示す図
【図３】第３実施例を示す図
【図４】第４ 実施例を示す図
【図５】第５実施例を示す図
【図６】他物品への取付構造に関する第６実施例を示す図
【図７】同上第７実施例を示す図
【図８】同上第８実施例を示す図
【図９】同上第９実施例を示す図
【図１０】同上第１０実施例を示す図
【図１１】同上第１１実施例を示す図
【図１２】同上第１２実施例を示す図
【図１３】同上第１３実施例を示す図
【図１４】スキー用品への応用例を示す図
【図１５】ストックへの応用例を示す図
【図１６】線状ＥＬ素子と基板を接続するソケットの構造を示す図
【図１７】身の回り品への応用例を示す図
【図１８】スノーボードへの応用例を示す図
【図１９】マリンスポーツ用品への応用例を示す図
【図２０】登山用品への応用例を示す図
【図２１】家具への応用例を示す図
【図２２】自動２輪車及びその用品への応用例を示す図
【図２３】自動車用品への応用例を示す図
【符号の説明】
１：線状ＥＬ素子、２：駆動部、３：取付部、１５：ＥＬ連結部、１６：取付相手側連結部、１８：発光部
【図１】
0003705523.tif 000002
【図２】
0003705523.tif 000003
【図３】
0003705523.tif 000004
【図４】
0003705523.tif 000005
【図５】
0003705523.tif 000006
【図６】
0003705523.tif 000007
【図７】
0003705523.tif 000008
【図８】
0003705523.tif 000009
【図９】
0003705523.tif 000010
【図１０】
0003705523.tif 000011
【図１１】
0003705523.tif 000012
【図１２】
0003705523.tif 000013
【図１３】
0003705523.tif 000014
【図１４】
0003705523.tif 000015
【図１５】
0003705523.tif 000016
【図１６】
0003705523.tif 000017
【図１７】
0003705523.tif 000018
【図１８】
0003705523.tif 000019
【図１９】
0003705523.tif 000020
【図２０】
0003705523.tif 000021
【図２１】
0003705523.tif 000022
【図２２】
0003705523.tif 000023
【図２３】
0003705523.tif 000024